(57)【特許請求の範囲】
【請求項１】
差し込まれる電線を弾性保持する弾性部材と端子板から成る速結端子部と、速結端子部を収納するケースと、差し込まれる電線の先端と当接しケースに設けた回動軸を中心に回動して挿入状態を表示する表示部材を有する速結端子の電線接続構造において、前記表示部材には、前記回動軸を中心とした回動軌跡の略直径方向において一端側には電線の挿入状態を表示する表示部が弾性的に延設されるとともに、他端側には前記差し込まれる電線の先端と当接する電線当接部が弾性的に延設され、前記電線を前記速結端子部に差し込む場合、前記電線当接部と差し込まれる電線の先端が当接することにより前記表示部材が回転し始め、ある一定の電線差込量に達すると、前記表示部が前記ケースにおいて前記表示部の回動軌跡上に設けられた第一の規制部に当接することにより前記表示部材の表示部の回転が固定され、電線をさらに挿入すると、前記電線当接部が撓み、同じく前記ケースにおいて前記電線当接部の回動軌跡上に設けられた第二の規制部に当接することにより前記電線当接部の回転が規制されて接続完了し、前記表示部の位置は、前記表示部材の回動方向において該表示部が前記第一の規制部に当接している間固定されることを特徴とした速結端子の電線接続構造。
【請求項２】
請求項１記載の速結端子の電線接続表示構造を用いた回路遮断器。
【発明の詳細な説明】
【０００１】
【発明の属する技術分野】
本件の発明は速結端子に係り、電線と端子との接続状態の表示装置に関わる。
【０００２】
【従来の技術】
電線と速結端子部との接続状態の表示に関しては、電線が差し込まれる量に比例して，表示部が露出されるというものであった。
【０００３】
【発明が解決しようとする課題】
電線の差込量に連動して表示部の露出量が決定されるため、電線の差込量にばらつきが生じると、表示部の見え方にばらつきが生ずる。また、電線を弾性保持する速結端子部の弾性部材と端子部とのがたつき、および端子部と端子部を保持するケースとのがたつきにより、接続完了後，電線を処理したり，引っ張ったりした場合，電線が引き抜き方向にガタ分移動して，表示部の露出量が変わるため、使用者にとっては、接続状態について不安や疑念を抱く原因になっていた。
【０００４】
【課題を解決しようとするための手段】
差し込まれる電線を弾性保持する弾性部材と端子板から成る速結端子部と、速結端子部を収納するケースと、差し込まれる電線の先端と当接しケースに設けた回動軸を中心に回動して挿入状態を表示する表示部材を有する速結端子の電線接続構造において、前記表示部材には、前記回動軸を中心とした回動軌跡の略直径方向において一端側には電線の挿入状態を表示する表示部が弾性的に延設されるとともに、他端側には前記差し込まれる電線の先端と当接する電線当接部が弾性的に延設され、前記電線を前記速結端子部に差し込む場合、前記電線当接部と差し込まれる電線の先端が当接することにより前記表示部材が回転し始め、ある一定の電線差込量に達すると、前記表示部が前記ケースにおいて前記表示部の回動軌跡上に設けられた第一の規制部に当接することにより前記表示部材の表示部の回転が固定され、電線をさらに挿入すると、前記電線当接部が撓み、同じく前記ケースにおいて前記電線当接部の回動軌跡上に設けられた第二の規制部に当接することにより前記電線当接部の回転が規制されて最終的に接続完了し、前記表示部の位置は、前記表示部材の回動方向において該表示部が前記第一の規制部に当接している間固定される構成としたものである。
【０００５】
【発明の実施の形態】
次に本発明の一実施例を図面にて詳細に説明する。
【０００６】
図１は本件発明を回路遮断器の端子部に適用した場合の一例であり、回路遮断器の電線接続部の内部構造図を示している。図２は接続端子に電線が挿入される過程のなかで，表示部材がケースの規制部に規制される位置まで差し込んだ状態を表している。図３は差込可能最大量まで電線を差し込んだ状態を表している。
【０００７】
図１において、回路遮断器は速結端子部を収納するケース１と、負荷側に設けられた速結端子部１１を有しており、速結端子部１１は、前記ケースに設けられた電線を挿入するための電線挿入口２と、接続状態を確認するための開口部３と、差し込まれる電線を弾性保持する速結端子ばね部材９と、速結ばね部材９を内装する端子板１５と、差し込まれる電線の先端と当接し回動軸５を中心として回動し挿入状態を表示する表示部材４と、前記表示部材の回動を一定位置で規制する規制部７とから成り、表示部材４は、電線挿入状態を表す表示部６と、電線当接部１０から成り、電線を挿入していない場合には開口部から表示が見えない位置に表示部を規制するための復帰用弾性部材８と復帰用部材１２によって係合されており、ケース１には復帰用部材を復帰位置で規制する規制部１３と、電線の最大差込位置を規制する規制部１４を有し、表示部材４の電線当接部１０は、弾性的に屈曲可能とした形状で構成されている。
【０００８】
次に図１において、速結表示が行われる一連の流れを説明する。初期状態では表示部材４は復帰用弾性部材８により、復帰用部材１２を介して開口部３から表示部６が目視できない位置に位置規制されている。また、復帰用部材１２は、規制部１３で規制されている。
【０００９】
電線を電線挿入口２より差し込んだ場合、電線は速結端子ばね部材９の第一当接部９１に当接する。引き続き電線を差し込んでいくと、電線は速結端子ばね部材９を撓ませながら内部方向に入っていき第二当接部９２に当接する。
【００１０】
次に電線は速結端子ばね部材の第二当接部９２を撓ませながら内部方向に入っていき表示部材４の電線当接部１０に当接する。さらに電線を挿入すると表示部材４は回動軸５を中心として弾性部材８の付勢力に抗して図の時計廻りに回転を始め，さらに電線を差し込むと表示部材４が規制部７に当接し，表示部は固定される。
【００１１】
この位置までは，表示部材は，電線差し込み量に比例して回転し，この位置では，表示部６は開口部３に対し全て露出している。
【００１２】
その状態を図２に示す。
【００１３】
図３は，最終的に接続完了した状態を表している。図２の状態からさらに電線を差し込んでいくと表示部材４の電線当接部１０は撓みはじめケースの規制部１４に突き当たり接続を完了する。
【００１４】
接続完了後，電線が線処理などで，引っ張られた場合は，速結端子ばね部材９の第一当接部９１により，電線が抜けないように保持する構造となっているが，端子板１５とケース１の勘合ガタ分や速結端子ばね部材９と端子板１５のガタ分だけ，電線は引っ張り方向に移動する。本発明によると，この勘合ガタ分の移動は，表示部材の電線当接部１０の撓みにより吸収されるため，表示部材の表示部６は，一定の表示をたもっている。
【発明の効果】
本件の発明によれば、速結端子の電線接続状態表示構造において、表示部の開口部に対する表示板の露出量が一定となり、また、接続完了後，差し込んだ電線を引っ張っても表示部の開口部に対する露出量が変化せず、使用者が目視確認を行った場合において視覚的に正確な表示が可能となる。また端子を複数隣接して配置した場合は特に効果があり，接続表示が一定に行われて，使用者の不安や疑念がなくなる。
【図面の簡単な説明】
【図１】回路遮断器の負荷側接続状態表示装置近辺の内部構造図例を示している。
【図２】電線接続により，表示部材が表示した状態を示している。
【図３】差込可能最大量まで電線を差し込んだ状態を示している。
【符号の説明】
１  ケース
２  電線挿入口
３  開口部
４  表示部材
５  回動軸
６  表示部
７  規制部
８  復帰用弾性部材
９  速結端子ばね部材
１０  電線当接部
１１  速結端子部
１２  復帰用部材
１３  規制部
１４  規制部
１５  端子板
９１  第一当接部
９２  第二当接部
【図１】
0003925909.tif 000002
【図２】
0003925909.tif 000003
【図３】
0003925909.tif 000004